(57)【特許請求の範囲】
【請求項１】
開口部およびこの開口部の周囲に突設されて植物の根部を収容するポケット部を有する表面パネルと、この表面パネルに係合し壁面に架装可能な裏面パネルと、前記表面パネルと裏面パネルとの間に介装される前記ポケット部における植物根が前記開口部を介して係着するための植物根保持部とを具え、前記植物根保持部は吸水・保水材により形成される植栽マットで構成するとともにこの植栽マットの上端には潅水手段としての有穴ホースを設置して、前記植栽マットにはその内部で重力により水分が上部と下部とで偏在するのを防止するための水分偏在防止手段を具え、前記水分偏在防止手段は植栽マットに水平方向に穿設した貫通溝で構成して、水分が貫通溝の上側内壁面から下側内壁面に徐々に滴下するようになすとともに、前記貫通溝はコ字形状に形成して複数設けたことを特徴とする壁面緑化パネル。
【請求項２】
開口部およびこの開口部の周囲に突設されて植物の根部を収容するポケット部を有する表面パネルと、この表面パネルに係合し壁面に架装可能な裏面パネルと、前記表面パネルと裏面パネルとの間に介装される前記ポケット部における植物根が前記開口部を介して係着するための植物根保持部とを具え、前記植物根保持部は吸水・保水材により形成される植栽マットで構成するとともにこの植栽マットの上端には潅水手段としての有穴ホースを設置して、前記植栽マットにはその内部で重力により水分が上部と下部とで偏在するのを防止するための水分偏在防止手段を具えるとともに、前記植物根保持部を上下方向に間隙を有して並設される複数の植栽マットにより構成し、前記水分偏在防止手段は複数植栽マット間の間隙で構成して、水分が上部の植栽マットの下端から次段の植栽マットの上端に向けて前記間隙空間を滴下するようにしたことを特徴とする壁面緑化パネル。
【請求項３】
請求項１又は２いずれか記載の壁面緑化パネルにおいて、前記植栽マットは、不織布で形成したことを特徴とする壁面緑化パネル。
【請求項４】
請求項３記載の壁面緑化パネルにおいて、前記不織布は木綿材と合繊材との混成であることを特徴とする壁面緑化パネル。
【請求項５】
請求項１ないし４いずれか記載の壁面緑化パネルを壁面に係脱自在に架装してなることを特徴とする壁面緑化構造。
【請求項６】
請求項５記載の壁面緑化構造において、壁面緑化パネルは複数設置するとともに、水平方向において隣接する壁面緑化パネルの側端部を接合させてそれぞれの壁面緑化パネルの植物根保持部を連通させてポケット部に植栽される植物根を連通した植物根保持部に進出させるようにしたことを特徴とする壁面緑化構造。
【請求項７】
請求項５記載の壁面緑化構造において、前記灌水手段は植物根保持部に水を滴下する有孔ホースであることを特徴とする壁面緑化構造。
【請求項８】
請求項１ないし４いずれか記載の壁面緑化パネルを各壁面緑化パネルの植物根保持部が接触して連通するように壁面に複数係止するとともに前記潅水手段から給水された水分を接触により連通する各植物根保持部を水路として拡散させて全壁面緑化パネルに給水するようにしたことを特徴とする壁面緑化構造。
【請求項９】
請求項８記載の壁面緑化構造において、水平方向において連通する壁面緑化パネル相互の植物根保持部にポケット部に植栽される植物根を進出させるようにしたことを特徴とする壁面緑化構造。
【発明の詳細な説明】
【技術分野】
【０００１】
本願発明は、建造物の壁面に着脱自在に架装できて、さまざまなデザインの緑化壁面が構
成できる壁面緑化パネルとこれを用いた壁面緑化構造に関するものである。
【背景技術】
【０００２】
景観の向上といわゆるヒートアイランド現象の緩和策として建造物の屋上のみならず、今日では、壁面の緑化が提唱され、この壁面緑化のための様々な技術が提供されている。
壁面を緑化した場合、壁面からの日射熱の伝達量を軽減することで、建物内部に構成された居住空間の上昇温度を低減させることが可能となり、冷房負荷を軽減することが出来る。従って、建物の壁面緑化を実現することは、ヒートアイランド現象の緩和に寄与することになる。  また、壁面の緑化は無機質な壁面をヒトの眼に優しい景観に変えて自然の和みをあたえてくれる。
【０００３】
壁面緑化技術の一例として、金属材などで形成された１０ｃｍ程度の格子を有するネッ
トを壁面から離して取り付け、このネットに沿ってワイヤーなどを垂直方向に設けて蔓性植物を登坂させるようにしていた。この場合、植物の支持体が格子状ネットと直立するワイヤーであるため、登坂適性を有する植物には大幅な制限があった。
【０００４】
また、他の壁面緑化技術として、壁面に、椰子殻繊維などのシートと金属ネットを組み
合わせたマットを直接貼付し、蔓性植物や付着根タイプの植物を植生させるシステムもあるが、マットの耐久性、マットの彩色、壁面の通気性、壁面の汚染などの問題が発生する。
【０００５】
さらに、壁面にフェルトや不織布からなる基盤を配置して、この中に植物の苗を植え込むことで、垂直な壁面の緑化を行う方法が採用されている。しかし、この方法では、基盤に植え込んだ植物は、地面に対して略平行に生育するので、植物が成長することにより、植物の重みや植物が風から受ける力によって、基盤が変形してしまったり、基盤から植物が剥離する恐れもある。
【０００６】
またさらに、プラスチック素材からなる基板にポケットを設け、このポケットにポット栽培された植物を設置する方法も提案されている。  この提案では、ポケットに傾斜が設けられ、植物は地面に対してやや斜め上方向に生育するようになっている。しかし、植物の根はポケット内でしか成長できないため、植物の大きな成長が見込めない。また、降雨の少ない乾期には、所定の頻度で各ポケット内に灌水を行う必要がある。
【０００７】
そしてまた、壁面に係止され裏面に保水吸水手段を有する植栽パネルにポケットを設けて、ポケット内の植物を保水吸水手段により育成する壁面緑化技術も開示されている。  しかし、この技術では、保水吸水手段における水分が重力の影響により下部に偏在して均等に植物の根に行き渡らないことや、パネルの取り外し異動が容易でないことが問題である。
【０００８】
なお、本願発明と関連する技術が次の文献において開示されている。
【特許文献１】特開２００８−２９３２２号公報
【特許文献２】特開２００６−２０６２１号公報
【特許文献３】特開２００５−２７８０４２号公報
【特許文献４】特開２００５−２６１２０８号公報
【特許文献５】特開２００５−１６０３８１号公報
【特許文献６】特開２００５−１４３４０６号公報
【特許文献７】特開２００４−２５４５５９号公報
【特許文献８】特開２００４−２８３０７０号公報
【特許文献９】特開２００４−２４８５５０号公報
【特許文献１０】特開２００２−３３５７６５号公報
【特許文献１１】特開２００２−９７６５３号公報
【特許文献１２】特開平０６−２６１６３３号公報
【特許文献１３】特開平０９−２５２６５４号公報
【発明の開示】
【発明が解決しようとする課題】
【０００９】
本願発明は、各種の植物を簡易な潅水により容易に植生でき、建造物の壁面に着脱自在
に架装できて、さまざまなデザインの緑化壁面を時宜に応じて形成できる壁面緑化パネルとこれによる壁面緑化構造の実現を目的とするものである。
【課題を解決するための手段】
【００１０】
本願発明は、開口部およびこの開口部の周囲に突設されて植物の根部を収容するポケット部を有する表面パネルと、この表面パネルに係合し壁面に架装可能な裏面パネルと、前記表面パネルと裏面パネルとの間に介装される前記ポケット部における植物根が前記開口部を介して係着するための植物根保持部とを具え、前記植物根保持部は吸水・保水材により形成される植栽マットで構成するとともにこの植栽マットの上端には潅水手段としての有穴ホースを設置して、前記植栽マットにはその内部で重力により水分が上部と下部とで偏在するのを防止するための水分偏在防止手段を具え、前記水分偏在防止手段は植栽マットに水平方向に穿設した貫通溝で構成して、水分が貫通溝の上側内壁面から下側内壁面に徐々に滴下するようになすとともに、前記貫通溝はコ字形状に形成して複数設けた壁面緑化パネルを提供して、上記課題を解決する。
【００１１】
本願発明はまた、開口部およびこの開口部の周囲に突設されて植物の根部を収容するポケット部を有する表面パネルと、この表面パネルに係合し壁面に架装可能な裏面パネルと、前記表面パネルと裏面パネルとの間に介装される前記ポケット部における植物根が前記開口部を介して係着するための植物根保持部とを具え、前記植物根保持部は吸水・保水材により形成される植栽マットで構成するとともにこの植栽マットの上端には潅水手段としての有穴ホースを設置して、前記植栽マットにはその内部で重力により水分が上部と下部とで偏在するのを防止するための水分偏在防止手段を具えるとともに、前記植物根保持部を上下方向に間隙を有して並設される複数の植栽マットにより構成し、前記水分偏在防止手段は複数植栽マット間の間隙で構成して、水分が上部の植栽マットの下端から次段の植栽マットの上端に向けて前記間隙空間を滴下するようにした壁面緑化パネルを提供して、上記課題を解決する。
【００１２】
また、前記段落００１０又は００１１いずれか記載の壁面緑化パネルにおいて、前記植栽マットは、不織布で形成することがある。
【００１３】
さらに、前記段落００１２記載の壁面緑化パネルにおいて、前記不織布は木綿材と合繊材との混成で構成することがある。
【００１４】
本願発明はまた、前記段落００１０ないし００１３いずれか記載の壁面緑化パネルを壁面に係脱自在に架装してなる壁面緑化構造を提供して、上記従来の課題を解決する。
【００１５】
また、上記段落００１４記載の壁面緑化構造において、壁面緑化パネルは複数設置するとともに、水平方向において隣接する壁面緑化パネルの側端部を接合させてそれぞれの壁面緑化パネルの植物根保持部を連通させてポケット部に植栽される植物根を連通した植物根保持部に進出させるように構成することがある。
【００１６】
さらに、上記段落００１５記載の壁面緑化構造において、前記灌水手段は植物根保持部に水を滴下する有孔ホースで構成することがある。
【００１７】
本願発明はさらに、前記段落００１０ないし００１３いずれか記載の壁面緑化パネルを各壁面緑化パネルの植物根保持部が接触して連通するように壁面に複数係止するとともに前記潅水手段から給水された水分を接触により連通する各植物根保持部を水路として拡散させて全壁面緑化パネルに給水するようにした壁面緑化構造を提供して、上記従来の課題を解決する。
【００１８】
また、上記段落００１７記載の壁面緑化構造において、水平方向において連通する壁面緑化パネル相互の植物根保持部にポケット部に植栽される植物根を進出させるように構成することがある。
【発明の効果】
【００１９】
本願発明は、次のような効果を奏する。
（１）  建造物の内外において、迅速容易に壁面を緑化できる。
（２）  大掛かりな工事を要しないので設置コスト、管理コストあるいは撤去コストも低廉である。
（３）  各壁面緑化パネルは、壁面に着脱自在であり、壁面の全面緑化あるいは点在させるなど、緑化面の多様なデザイン構成がその場所や時宜に応じて簡便、自由になしえる。また、緑化面の撤去も同様に容易である。
（４）  潅水手段の構成が極めて簡素ながら、少量の給水により植物を適正に生育できる。
【発明を実施するための最良の形態】
【００２０】
壁面緑化パネルは、表面パネル、裏面パネルともに金属材又は樹脂材で形成し、表面パネルに設けられるポケット部は、射出成形により表面パネルと一体に形成しても、あるいは表面パネルに形成した開口部の周縁に別体に形成したポケット部を取り付けてもよい。
ポケット部は、植物の根部を包持するものであるから、筺体状、円錐台状、筒状等その形態は様々である。
【００２１】
上述の表裏両パネル間に介装される植物根保持部は吸水・保水材により形成される植栽マットで構成される。  この植栽マットにはその内部で重力により水分が上部と下部とで偏在するのを防止するための水分偏在防止手段を具備する。  すなわち、植栽マットをスポンジ、不織布等の吸水・保水材により形成する場合、吸水・保水材における水分は重力の影響を受けて下部に大量に溜まり易く、上下で偏在する。  この偏在を防止して、植物根に均一に給水するために水分偏在防止手段が必要となる。
【００２２】
この水分偏在防止手段は、例えば植栽マットに水平方向に穿設したコ字形状の貫通溝で構成し、これを点在させれば、植栽マットの上部で供給された水は吸水・保水材内部を移動して貫通溝に至り、異動はこの貫通溝に阻止され貫通溝近傍に滞留する。  その滞留量が所定量を超えると、水分は貫通溝の上部辺から滴下して対向する下部辺に落下し、次いでこれに続く吸水・保水材に浸透して拡散してゆく。  このようにして、水分の偏在が防止される。
【００２３】
また、水分偏在防止手段は、次のように構成することもできる。  すなわち、前記植物根保持部を上下方向に間隙を有して並設された複数の植栽マットにより構成し、前記水分偏在防止手段は複数植栽マット間の間隙で構成する。上部側の植栽マットの下端に達した水分はいったんここで異動を停止するが、滞留量が所定以上に達すると、水分は間隙を滴下して次段の植栽マットに落下し、次いで、次段の植栽マットを構成する吸水・保水材に浸透して拡散してゆく。  このようにして、水分の偏在が防止される。
【００２４】
植栽マットを構成する吸水・保水材は、樹脂製の吸水材等、種々のものを採用できるが不織布によるものが水分の浸透速度、不織布の積層厚さを変えての保水量制御等が容易な点から好ましい。
【００２５】
不織布は木綿材と合繊材との混成で構成すると、給水・保水の制御はさらに精密になしえる。  すなわち、木綿は水分の水平方向への浸透に優れ、合繊は水切りが早いうえ形態維持性に優れるからである。
【００２６】
上述の壁面緑化パネルを建造物の壁面に脱着自在に所定数係止して壁面緑化構造が構成される。  そして、壁面緑化パネルの上端に灌水手段を設置する。  この潅水手段は給水源に連結され植物根保持部に水を滴下する有孔ホースで構成する。
【００２７】
壁面緑化パネルは水平方向に複数設置して、隣接する壁面緑化パネルの側端部同士を接合させることにより、それぞれの壁面緑化パネルの植物根保持部を連通させてポケット部に植栽される植物根を連通した植物根保持部に進出させるようにすると、植物の根付きが良好となり、植物の成育に好ましい。
【００２８】
潅水手段としての前記有孔ホースから直接に、各壁面緑化パネルに給水するようにしても良いが、壁面緑化パネルを各壁面緑化パネルの植物根保持部が接触して連通するように壁面に複数係止して、このうちのいずれかの壁面緑化パネルに潅水手段を設けて、この潅水手段から給水された水分を接触により連通する各植物根保持部を水路として浸透拡散させて他の全壁面緑化パネルに給水するようにすれば、潅水系統が簡易構成によることができる。
【実施例】
【００２９】
図面に基づいて本願発明の実施例を説明する。
図１は、壁面緑化パネルＡの斜視図である。    壁面緑化パネルＡは、開口部Ｋおよびこの開口部Ｋの周囲に突設されて植物の根部を収容するポケット部Ｐを有する表面パネル１と、この表面パネル１に係合し建造物等の壁面（不図示）に着脱自在に架装可能な裏面パネル２と、前記表面パネル１と裏面パネル２との間に介装される植物根保持部としての植栽マット３を具えている。  この植栽マット３には前記ポケット部Ｐにおける植物根が前記開口部Ｋを介して係着するようになっている。  なお、図において、Ｈは植栽マット３に給水するために、その上端に接合する灌水手段としての有孔ホースであり、その孔部から水を滴下するようになっている
【００３０】
植栽マット３は、吸水・保水材により形成され、この実施例では、吸水・保水材として
木綿材と合繊材とで混成された所定の層厚に形成された不織布が使用されている。  そして、後述のように、不織布で形成された植栽マット３はその内部で重力により水分が上部と下部とで偏在するのを防止するための水分偏在防止手段を具えている。
【００３１】
図２は、図１に示した植物根保持部としての植栽マット３の１実施例を示す斜視図である。  図示のように、植栽マット３には水分偏在防止手段として水平方向に穿設したコ字形状の貫通溝４，４が形成されている。  前記植栽マット３の上端に前記有孔ホースから滴下した水は、不織布内部に徐々に浸透拡散して貫通溝３，３の上辺部Ｊ近傍に至り滞留する。  水分の滞留量が所定限度を超えると、上辺部Ｊから貫通溝４，４の下辺部Ｊ２に滴下し、貫通溝４，４より下部の植栽マット３内部に浸透拡散していく。  このような水分偏在防止手段がない場合、水分は植栽マット３内部を下部に向けて一気に進行してしまい、給水された水は、植栽マット３の上部では少なく、下部では多量存在して全体として水分の偏在現象が生じる。  この現象を回避するために、給水量を多くすることも考えられるが、植物の生育には過剰な水分となり、また排水量もおおくなって潅水系統が複雑化してしまう不都合が生じる。
【００３２】
図３は、植物根保持部の他の実施例を示す斜視図である。  この実施例で、前記植物根保持部は、上下方向に間隙を有して並設される複数の植栽マット３ａ，３ｂにより構成され、前記水分偏在防止手段は複数植栽マットト３ａ，３ｂ間の間隙３ｃで構成されている。
すなわち、植栽マット３ａの上端に前記有孔ホースから滴下した水は、不織布内部に徐々に浸透拡散して植栽マット３ａ内に滞留する。  水分の滞留量が所定限度を超えると、下端部からこれに対向する植栽マット３ｂの上端に滴下し、ここから植栽マット３ｂ内部に浸透拡散していく。  なお、図３において、５、５．．は植栽マットを挟持するための突起部である。
【００３３】
図４は、図３に示す植物根保持部としての植栽マットのさらに他の実施例を示す斜視図である。この実施例でも、前記植物根保持部は、上下方向に間隙を有して並設される複数の植栽マット３ａ，３ｂにより構成され、前記水分偏在防止手段は複数植栽マットト３ａ，３ｂ間の間隙３ｃで構成されている。ただし、植栽マットト３ａ，３ｂは完全に分断ではなく、両者間に架橋部３ｄ、３ｄが形成されている。したがって、ある量の水分は水分偏在防止手段として前記間隙３ｃに規制されることなく下方へ異動する。このような構成の植栽マットを有する壁面緑化パネルは水分を多く必要とするある種の植物の植栽に適している。
【００３４】
上記の構成を有する壁面緑化パネルＡを建造物壁面に係脱自在に単数又は複数架装し、この壁面緑化パネルＡの上部に前記孔ホース等の灌水手段を設けて壁面緑化構造を形成する。  壁面緑化パネルＡの壁面における設置の態様は、壁面の全面被覆を含め、そのデザインは様々に設定できる。
【００３５】
図５は、前述の植物根保持部としての植栽マットのさらに他の実施例を示す斜視図である。  この実施例において、図１に示した壁面緑化パネルＡは水平方向に複数設置し、水平方向において隣接する壁面緑化パネルＡ同士の側端部は接合されている。  このため、それぞれの壁面緑化パネルＡの植物根保持部としての植栽マットが連通されることになり、ポケット部Ｐに植栽される植物根は連通した植物根保持部（植栽マット）に進出でき、根付きが良好になり各植物は安定的に植物根保持部（植栽マット）に定着する。なお、図示しないが、灌水手段として植物根保持部の上部に水を滴下する有孔ホースが設置される。
【００３６】
図６は、壁面緑化構造の他の実施例を示す一部切欠正面図である。この実施例において、壁面緑化パネルＡ１−Ａｘをそれらの植物根保持部が接触して連通するように壁面に複数係止されている。  そして、壁面緑化パネルＡ１には潅水手段としての有孔ホースＨが設けられて、この潅水手段から給水された水分を接触により連通する各植物根保持部としての前記したいずれかの構成の植栽マットを水路として拡散させて全壁面緑化パネルに給水し、水分は例えば最終的に壁面緑化パネルＡｘに達するようになっている。
この実施例では潅水系統が簡単になると言う利点を有するが、全般に供給される水分はその量が少なくなるから、少量水分で生育する植物の植栽に適している。
【００３７】
図７は、図２に示す植栽マット３の他の実施例を示す斜視図で、この実施例では
植栽マット３には水分偏在防止手段として水平方向に穿設したコ字形状の貫通溝４，４が図示のように４個形成されている。この結果、植栽マット内部の水分の偏在がより良好に是正できる。
【００３８】
図８は、図３に示す植栽マット３ａ，３ｂの他の実施例を示す斜視図で、この実施例では植栽マット３ａ、３ｂには水分偏在防止手段として水平方向に穿設したコ字形状の貫通溝４が形成されている。  これにより、前記同様に植栽マット内部の水分の偏在がより良好に是正できることになる。
【図面の簡単な説明】
【００３９】
【図１】壁面緑化パネルＡの一実施例に係る斜視図である。
【図２】植物根保持部としての植栽マットの１実施例を示す斜視図である。
【図３】植物根保持部の他の実施例を示す斜視図である。
【図４】植物根保持部としての植栽マットのさらに他の実施例を示す斜視図である。
【図５】植物根保持部としての植栽マットのさらに他の実施例を示す斜視図である。
【図６】壁面緑化構造の他の実施例を示す一部切欠正面図である。
【図７】図２に示す植栽マット３の他の実施例を示す斜視図である。
【図８】図３に示す植栽マット３ａ，３ｂの他の実施例を示す斜視図である。
【符号の説明】
【００４０】
Ａ．．．．．．．．壁面緑化パネル
Ａ１．．．．．．潅水手段を有する壁面緑化パネル（始端パネル）
Ａx．．．．．．．（給水）終端壁面緑化パネル
Ｈ．．．．．．．．有孔ホース
Ｊ．．．．．．．．貫通溝上辺
Ｊ２．．．．．．．貫通溝下辺
Ｐ．．．．．．．．ポケット部
１．．．．．．．．表面パネル
２．．．．．．．．裏面パネル
３．．．．．．．．植物根保持部（植栽マット）
３ｃ．．．．．．．間隙（水分偏在防止手段）
４．．．．．．．．貫通溝（水分偏在防止手段）
５．．．．．．．．突起
【図１】
0005231134.tif 000002
【図２】
0005231134.tif 000003
【図３】
0005231134.tif 000004
【図４】
0005231134.tif 000005
【図５】
0005231134.tif 000006
【図６】
0005231134.tif 000007
【図７】
0005231134.tif 000008
【図８】
0005231134.tif 000009